(57)【要約】【課題】非平滑面や若干の非平坦面に対しても強力に付着し、平滑・平坦面にはより強力に付着するとともに、取り外したり永続的に反復使用することも容易にできるような、ハイグレードな止着具（本体）を提供する。【解決手段】乾燥粘着性エラストマーシート１の裏面に非粘着性エラストマー２を積層し、更にその裏面の少なくとも周辺部を押圧及び押圧解除する硬質押圧具３を当該エラストマーの略中央部において固定し、かつその硬質押圧具３の固定部と押圧部とを互いに表裏方向において相対移動できるように形成する。【選択図】図１
2004293774.tif 000002
【特許請求の範囲】
【請求項１】
乾燥粘着性エラストマーシートの裏面に非粘着性エラストマーを積層し、更にその裏面の少なくとも周辺部を押圧及び押圧解除する硬質押圧具を当該エラストマーの略中央部において固定し、かつその硬質押圧具の固定部と押圧部とが互いに表裏方向において相対移動できるように形成されていることを特徴とする止着具本体。
【発明の詳細な説明】
【０００１】
【発明の属する技術分野】
この発明は、ある程度の非平滑面に対しても強力に付着し、かつ吸盤のように反復脱着が容易にできる止着具（の本体）に関する。
【０００２】
【従来の技術】
いわゆる吸盤は平滑面に対し脱着のできる止着具本体として従来よりよく知られており、これにフック等を取付けて物を掛けられるようにしたり、或いは石鹸箱等を取付けて滑らないようにしたものなどが既に製品化されている。
【０００３】
また吸盤に替えて粘着剤付きクッションシートを用いたものもあり、これは脱着はほとんどできないものの、（非平滑面に対しても）かなり強力に付着できるようになっている。
【０００４】
さらに吸盤の形態や機能を保ちながら非平坦面に対し強力に付着できるような止着具も種々提案されているが、これらは基本的に吸盤の内側に粘着剤やパテ等を装着させるなどの手段をとっている（例えば、技術文献１、及び技術文献２参照）。
【０００５】
【技術文献１】特開平８−３１２６３０
【０００６】
【技術文献２】特開２０００−３０４０２７
【０００７】
【発明が解決しようとする課題】
これらのような従来の止着具類は、付着能力と脱着性のいずれかが不十分であるか、或いは両性能を兼ね備えるようにしたものも作業性を著しく損なうなど、実際には様々な難点が残されており、近時に至っても大して改善されていないのが現状である。
【０００８】
本発明はかかる現状から、例えばスリガラス状の非平滑面や若干の非平坦面に対しても強力に付着し、平滑・平坦面にはより強力に付着するとともに、必要に応じ取り外したり反復使用することも容易にできるような、ハイグレードな止着具（本体）を提供することを課題とする。
【０００９】
【課題を解決するための手段】
乾燥粘着性エラストマーシート１の裏面に非粘着性エラストマー２を積層し、更にその裏面の少なくとも周辺部を押圧及び押圧解除する硬質押圧具３を当該エラストマーの略中央部において固定し、かつその硬質押圧具３の固定部と押圧部とを互いに表裏方向において相対移動できるように形成する。
【００１０】
ここでいう乾燥粘着性エラストマーとは、いわゆる粘着剤のような粘液ないし流動性要素をもたない固体であるにもかかわらず、圧着によりあたかも粘着剤のような高度の粘着性を顕わすゴム状体であって、付着面に対し全く材料物質の移行をきたすことがなく、また材料物質の喪失を伴わずに何度でも水洗などを繰りり返すことができるものである。例えばある種の注型用シリコーンゴムや、近時において開発されたポリスチレン系エラストマーなどが該当する。特に後者は高度の乾燥粘着性と軟度を有しているため、甚だ好結果が得られる。
【００１１】
本願発明においては便宜上、付着させるべき壁などの対象面に向かう方向を表としその逆を裏とするが、乾燥粘着性エラストマーシート１の裏面に積層する非粘着性エラストマー２は単なる通常のゴム質のもので良く、また積層させる以上は略シート状を呈することになる。その積層手段も、当該エラストマーシート１のもつ粘着性から、重ねるだけで自ずからそのようになる。
【００１２】
この非粘着性エラストマー２のほぼ中央部に取り付けて固定する硬質押圧具３はプラスチックなどで形成されていて、少なくとも積層状の乾燥粘着性エラストマーシート１及び非粘着性エラストマー２の周辺部を押圧及び押圧解除できるように配置してあるが、それは例えば図面に示したような常套手段により、その中央固定部と周辺押圧部との位置関係が互いに表裏方向にずれ動くように、当該押圧具３を２つの分割部品の連結により形成しておけばよい。ちなみに図面及び実施例に示した以外に、例えば螺子軸で連結する方法もある。
【００１３】
【作用】
本発明はこのような構成であるから、これを例えば所望する壁面などに止着具の本体として付着させたい場合、図１のように、例えば中央部の湾曲したハンドル４ａ付き軸４で周辺押圧部と中央固定部とが有隙孔５において連結された硬質押圧具３を、該ハンドル４ａの位置操作により軸４の湾曲部が有隙孔５の裏側を推すような形にして周辺押圧部が積層エラストマーの周辺部に密着・押圧した形態にしつつ壁面６等に押圧・付着させる。この状態では、乾燥粘着性エラストマーシート１は吸盤をはるかに上回る付着力でたとえ非平滑面であっても強力にこれに付着し、また引き剥がそうとしても、硬質押圧具３が一体化しているためにめくり剥がせないから、粘着力と空気侵入阻止力の伴った強大な吸盤力によって甚だ強固な付着力を発揮し続ける。
【００１４】
ところが図２のように、ハンドル４ａを回して軸４の湾曲部が有隙孔５の表側方向にくるようにすると、該有隙孔５内で軸４が裏側方向に移動する余地を生じるため、その分を移動させようとすれば結局、図３のように周辺押圧部が裏側方向に移動してエラストマー部から浮き上がる形となり、この状態ではエラストマー部をめくることが可能となるから、容易に剥離できることになる。
【００１５】
上記の操作は甚だ容易であって必要に応じ何度も洗濯もできるから、十分に脱着反復使用に耐えられるものであり、かつ十分な止着力も兼備される。
【００１６】
【発明の実施の形態】
約２ｍｍ厚で５ｃｍ角の乾燥粘着性ポリスチレン系エラストマーシートと、これと略同形同大のシート部を有し中央部の硬質押圧具の中央固定部を保持する箇所と周辺部の硬質押圧具の周辺押圧部を位置定めする箇所とを適宜形状に成形した合成ゴム系非粘着性エラストマーとを該シート部において重ね合わせ、これにその周辺部を押圧する枠状部と有隙孔付き中央固定部とを前記のように湾曲軸で連結した硬質プラスチック製押圧具を該中央固定部において取り付ける。これを本発明の止着具本体とし、該硬質押圧具の背面において、適宜、図示したようなフック７を取り付けたり、或いは防犯用振動センサー、所有者専用の引手、或いはミニ万力などを取り付けて具体的に使用する。なお本発明はここに掲げた各例に限定されるものでないことは言うまでもない。
【００１７】
【発明の効果】
このように本発明によれば、従来の吸盤ではなし得なかった非平滑面に対しても甚だ強力に止着できると同時に、脱着が甚だ容易でしかも対象面を損なうことなく何度も永続的に反復使用できるなど、甚大な効果がある。
【図面の簡単な説明】
【図１】本発明の一使用形態における断面図
【図２】本発明の別の使用形態における断面図
【図３】本発明の更に別の使用形態における断面図
【符号の説明】
１……乾燥粘着性エラストマーシート
２……非粘着性エラストマー
３……硬質押圧具
４……軸
４ａ……ハンドル
５……有隙孔
６……壁面
７……フック
【図１】
2004293774.tif 000003
【図２】
2004293774.tif 000004
【図３】
2004293774.tif 000005